(57)【要約】【課題】画像表示部を有する電子機器に装着して使用されテレビジョン放送が受信可能であって該電子機器に起因するノイズの影響を受けにくい電子機器用アンテナ装置を提供すること。【解決手段】アンテナ装置５は、テレビジョン受信チューナ６を内蔵したチューナ装置４を介して、画像表示部２を有する電子機器（携帯端末機器）１に装着される。このアンテナ装置５は、チューナ装置４の筐体４ａに折り畳み可能かつ外方へ突出可能に軸支されたアーム部材８と、同軸ケーブル１１に接続される給電点１０ａを有してアーム部材８に保持されたアンテナ素子１０とを備えており、テレビジョン放送受信時には、筐体４ａの上方へ突出させたアーム部材８の上端部付近で給電点１０ａに給電信号が供給されるようになっている。【選択図】図２
2008085478.tif 000002
【特許請求の範囲】
【請求項１】
画像表示部を有する電子機器に装着されてテレビジョン放送が受信可能なアンテナ装置であって、
テレビジョン受信チューナが内蔵された筐体と、この筐体に収納可能かつ外方へ突出可能に取り付けられたアーム部材と、前記テレビジョン受信チューナに接続されて前記アーム部材の内部空間に挿通された給電ケ−ブルと、この給電ケ−ブルに接続される給電点を有して前記アーム部材に保持されたアンテナ素子とを備え、
前記アーム部材を前記筐体の外方へ突出させた状態で、このアーム部材の前記筐体から最も離隔した部位またはその近傍で前記給電ケ−ブルから前記給電点へ給電信号が供給されるように構成したことを特徴とするアンテナ装置。
【請求項２】
請求項１の記載において、前記電子機器がテレビジョン受像機として兼用可能な携帯端末機器であり、前記筐体がこの携帯端末機器にコネクタ接続されるチューナ装置の筐体であることを特徴とするアンテナ装置。
【請求項３】
請求項２の記載において、前記筐体のうち、コネクタ接続された前記携帯端末機器から最も離隔する部位またはその近傍に前記アーム部材が取り付けてあることを特徴とするアンテナ装置。
【請求項４】
請求項３の記載において、前記筐体が前記携帯端末機器の上面に載置固定されるものであって、この筐体の上端部に前記アーム部材が折り畳み可能かつ上方へ突出可能に軸支されていることを特徴とするアンテナ装置。
【請求項５】
請求項１〜４のいずれか１項の記載において、前記アンテナ素子を内蔵して前記アーム部材に折り畳み可能かつ外方へ突出可能に軸支されたロッド部材を備えていることを特徴とするアンテナ装置。
【請求項６】
請求項１〜４のいずれか１項の記載において、前記アンテナ素子を内蔵して前記アーム部材に挿入可能かつ外方へ突出可能に保持されたロッド部材を備え、このロッド部材の前記アーム部材からの突出量が略最大のときに、前記給電点が前記給電ケ−ブルと接続されるように構成したことを特徴とするアンテナ装置。
【請求項７】
請求項１〜４のいずれか１項の記載において、前記アンテナ素子がバイアス制御信号に応じて共振周波数が変化するチップアンテナであり、このチップアンテナを前記アーム部材の先端部に内蔵させると共に、前記バイアス制御信号を前記テレビジョン受信チューナから前記チップアンテナへ供給するためのバイアスケ−ブルを前記アーム部材の内部空間に挿通させるという構成にしたことを特徴とするアンテナ装置。
【請求項８】
請求項１〜７のいずれか１項の記載において、前記給電ケ−ブルが同軸ケーブルであると共に、前記アーム部材の内部空間に前記同軸ケーブルを包囲する金属製の筒状体を設け、前記給電点の近傍で前記筒状体と前記同軸ケーブルの外部導体とを接続したことを特徴とするアンテナ装置。
【発明の詳細な説明】
【技術分野】
【０００１】
本発明は、画像表示部を有する携帯端末機器等の電子機器に装着して使用されるテレビジョン放送受信用のアンテナ装置に係り、特に、この種の電子機器にコネクタ接続されるチューナ装置に付設して好適なアンテナ装置に関する。
【背景技術】
【０００２】
近年、液晶ディスプレイ等の画像表示部を有する携帯端末機器において、テレビジョン放送用の受信装置を後付けできるようにしたものが実用化されている。すなわち、ゲーム機のように画像表示部の面積が比較的大きい携帯端末機器は、テレビジョン放送が受信可能なアンテナ装置やチューナ装置を電気的かつ機械的に接続できるようにしてあれば、必要時にテレビジョン受像機として支障なく利用できるため付加価値が大幅に高まる。特に、今後は地上波デジタル放送が普及するため、各種の携帯端末機器がテレビジョン受像機として兼用されるようになるものと予想される。
【０００３】
ところで、このように画像表示部を有する電子機器に装着して使用されるテレビジョン放送受信用のアンテナ装置は、過度に小型化すると受信感度が低下してしまうが、小型でないアンテナ装置が常時外方に突出していると非使用時に邪魔になる。そこで、例えば特許文献１に開示されているアンテナ装置のように、モノポールアンテナ等からなるアンテナ素子が、使用時には筐体の外方へ突出可能であるが非使用時には筐体内へ収納可能であるという構成になっていると都合がよい。
【特許文献１】特開平６−１０４６２５号公報（第２−３頁、図１）
【発明の開示】
【発明が解決しようとする課題】
【０００４】
しかしながら、アンテナ素子を使用時に筐体の外方へ突出させたとしても、その給電点が画像表示部を有する電子機器の比較的近傍に位置していると、該電子機器から輻射される電磁波や該電子機器を構成する金属部品の影響でアンテナ素子の受信感度が劣化する虞がある。特に、ゲーム機等の携帯端末機器においては、テレビジョン受像機として利用されたときのアンテナ素子に対するノイズ対策が必ずしも万全でないことが多いので、この種の携帯端末機器に装着されるアンテナ装置にあっては、該携帯端末機器に起因するノイズの影響を受けにくくするために給電点の位置について特別な配慮が必要と考えられる。つまり、画像表示部を有する携帯端末機器と給電点との間に所要の間隔を確保しつつ非使用時にはコンパクトに収納できるようなアンテナ装置が望まれるが、従来、こうした配慮がなされたアンテナ装置は提案されていないため、地上波デジタル放送などでは良好な受信感度が得られない虞があった。
【０００５】
本発明は、このような従来技術の実情に鑑みてなされたもので、その目的は、画像表示部を有する電子機器に装着して使用されテレビジョン放送が受信可能であって該電子機器に起因するノイズの影響を受けにくいアンテナ装置を提供することにある。
【課題を解決するための手段】
【０００６】
上記の目的を達成するために、本発明では、画像表示部を有する電子機器に装着されてテレビジョン放送が受信可能なアンテナ装置において、テレビジョン受信チューナが内蔵された筐体と、この筐体に収納可能かつ外方へ突出可能に取り付けられたアーム部材と、前記テレビジョン受信チューナに接続されて前記アーム部材の内部空間に挿通された給電ケ−ブルと、この給電ケ−ブルに接続される給電点を有して前記アーム部材に保持されたアンテナ素子とを備え、前記アーム部材を前記筐体の外方へ突出させた状態で、このアーム部材の前記筐体から最も離隔した部位またはその近傍で前記給電ケ−ブルから前記給電点へ給電信号が供給されるように構成した。
【０００７】
このようにアンテナ素子を保持するアーム部材が筐体に収納可能かつ外方へ突出可能に取り付けられていると、非使用時にアンテナ素子とアーム部材をコンパクトに収納しておくことができる。また、アーム部材を筐体の外方へ突出させた状態で、アンテナ素子の給電点を筐体から十分に離隔させることができるため、画像表示部を有する電子機器から輻射される電磁波や該電子機器を構成する金属部品の影響を受けにくくなり、良好な受信感度が得やすくなる。したがって、このアンテナ装置は地上波デジタル放送受信用として好適であり、装着される電子機器がテレビジョン受像機として兼用可能な携帯端末機器である場合には特に有効である。
【０００８】
なお、ここで筐体とは、画像表示部とテレビジョン受信チューナを有する電子機器の筐体であってもよいが、テレビジョン受像機として兼用可能な携帯端末機器に装着されるテレビジョン受信チューナ内蔵のチューナ装置の筐体であることが好ましい。この場合において、筐体のうち、コネクタ接続された携帯端末機器から最も離隔する部位またはその近傍にアーム部材が取り付けてあると、このアーム部材を筐体の外方へ突出させた状態で、アンテナ素子の給電点を携帯端末機器から大きく離隔させることができるため、該携帯端末機器に起因するノイズがアンテナ装置に悪影響を及ぼす可能性が極めて低くなると共に、コネクタ接続なのでチューナ装置を携帯端末機器に簡単に装着することができて好ましい。特に、筐体が携帯端末機器の上面に載置固定されるというものであって、この筐体の上端部にアーム部材が折り畳み可能かつ上方へ突出可能に軸支されていると、携帯端末機器に装着したチューナ装置の姿勢を安定させやすくてアーム部材の突出スペースも確保しやすいため好適である。
【０００９】
上記の構成において、例えば、アンテナ素子を内蔵してアーム部材に折り畳み可能かつ外方へ突出可能に軸支されたロッド部材を備えていると、テレビジョン放送の受信時にはアンテナ素子をノイズ源である電子機器から大きく離隔させて良好な受信感度を確保でき、かつ、非使用時にはアンテナ素子をアーム部材に対し折り畳んだ状態にして両者を筐体にコンパクトに収納することができる。
【００１０】
あるいは、アンテナ素子を内蔵してアーム部材に挿入可能かつ外方へ突出可能に保持されたロッド部材を備え、このロッド部材のアーム部材からの突出量が略最大のときに給電点が給電ケ−ブルと接続されるように構成してあると、テレビジョン放送の受信時にはアンテナ素子をノイズ源である電子機器から大きく離隔させて良好な受信感度を確保でき、かつ、非使用時にはアンテナ素子をアーム部材の内部空間に挿入した状態にして両者を筐体にコンパクトに収納することができる。
【００１１】
あるいは、アンテナ素子がバイアス制御信号に応じて共振周波数が変化するチップアンテナであり、このチップアンテナをアーム部材の先端部に内蔵させると共に、前記バイアス制御信号をテレビジョン受信チューナから前記チップアンテナへ供給するためのバイアスケ−ブルをアーム部材の内部空間に挿通させるという構成にしてあると、アンテナ素子を小型化できて前記ロッド部材が不要となるため、アンテナ装置全体の構造を単純化できて低背化も図れる。
【００１２】
また、上記の構成において、給電ケ−ブルが同軸ケーブルであると共に、アーム部材の内部空間に前記同軸ケーブルを包囲する金属製の筒状体を設け、給電点の近傍で前記筒状体と前記同軸ケーブルの外部導体とを接続しておけば、この筒状体をアンテナ素子に対しスリーブアンテナとして動作させることができるため利得が向上する。
【発明の効果】
【００１３】
本発明のアンテナ装置は、アンテナ素子を保持するアーム部材が筐体に収納可能かつ外方へ突出可能に取り付けられているため、非使用時にアンテナ素子とアーム部材をコンパクトに収納しておくことができる。また、アーム部材を筐体の外方へ突出させた状態で、アンテナ素子の給電点を筐体から十分に離隔させることができるため、画像表示部を有する電子機器から輻射される電磁波や該電子機器を構成する金属部品の影響を受けにくくなって、良好な受信感度が得やすくなる。したがって、このアンテナ装置は地上波デジタル放送受信用として好適であり、特に電子機器がテレビジョン受像機として兼用可能な携帯端末機器である場合に顕著な実用的効果を期待できる。
【００１４】
また、前記筐体がテレビジョン受像機として兼用可能な携帯端末機器にコネクタ接続されるチューナ装置の筐体であり、この筐体のうちコネクタ接続された携帯端末機器から最も離隔する部位またはその近傍にアーム部材が取り付けてあると、このアーム部材を筐体の外方へ突出させた状態で、アンテナ素子の給電点を携帯端末機器から大きく離隔させることができるため、携帯端末機器に起因するノイズがアンテナ装置に悪影響を及ぼす虞が極めて少なくなると共に、コネクタ接続なのでチューナ装置を携帯端末機器に簡単に装着することができて好ましい。
【発明を実施するための最良の形態】
【００１５】
発明の実施の形態を図面を参照して説明すると、図１は本発明の第１実施形態例に係るアンテナ装置が装着された電子機器の正面図、図２は図１に示すアンテナ装置を起立させた状態での要部拡大図である。
【００１６】
これらの図に示す電子機器１は、画像表示部２や複数の操作キー３等を有するテレビジョン受像機として兼用可能な携帯端末機器である。この電子機器１上には、チューナ装置４にアンテナ装置５を付設してユニット化したテレビジョン受信装置が装着されている。チューナ装置４は、その筐体４ａが電子機器１上に載置固定されて、筐体４ａの内部に地上波デジタル放送用のテレビジョン受信チューナ６が組み込まれている。チューナ装置４の底面側にはコネクタ７が突設されており、このコネクタ７が電子機器１の上面に付設された図示せぬＵＳＢ端子に接続されている。これにより、テレビジョン受信チューナ６がコネクタ７を介して電子機器１と電気的に接続された状態になっている。一方、アンテナ装置５はチューナ装置４の筐体４ａの上端部に保持されており、このアンテナ装置５は、非使用時には折り畳んで筐体４ａに収納させておくことができるが、使用時には図２に示すように起立させて筐体４ａの上方へ突出させることができるようになっている。
【００１７】
次に、アンテナ装置５の構成を詳しく説明する。このアンテナ装置５は、筐体４ａの上端隅部に軸支された合成樹脂製のアーム部材８と、アーム部材８の先端部に軸支された合成樹脂製のロッド部材９と、ロッド部材９に内蔵されたアンテナ素子１０と、テレビジョン受信チューナ６から導出されてアーム部材８の内部空間に挿通された同軸ケーブル１１と、アーム部材８の内部空間で同軸ケーブル１１を包囲する金属製の筒状体１２とによって主に構成されている。アーム部材８は筐体４ａに対して折り畳み可能かつ上方へ突出可能であり、ロッド部材９はアーム部材８に対して折り畳み可能かつ上方へ突出可能である。アンテナ素子１０は、モノポールアンテナ１３の先端部にヘリカルアンテナ１４を連結した構造になっている。このアンテナ素子１０の給電点１０ａは、アーム部材８の先端部に連結されているロッド部材９の基端部に位置しており、該基端部において給電点１０ａが同軸ケーブル１１の内部導体（芯線）と接続されている。また、筒状体１２は、アーム部材８の先端部で同軸ケーブル１１の外部導体と接続されている。これにより、筒状体１２をアンテナ素子１０に対するスリーブアンテナとして動作させることができるため、利得の向上が図れるようになっている。
【００１８】
かかる構成のアンテナ装置５は、地上波デジタル放送を視聴しないときには、アーム部材８およびロッド部材９を図１の実線で示す横臥姿勢に折り畳んでおくことが好ましい。そして、地上波デジタル放送を受信する際には、図１の鎖線で示すように、横臥姿勢のアーム部材８およびロッド部材９を徐々に引き起こして一直線状の起立姿勢（図２参照）に設定する。こうすることで、アンテナ素子１０とその給電点１０ａを電子機器１から大きく離隔させた位置に配置させることができるので、テレビジョン受信チューナ６から同軸ケーブル１１を介して給電点１０ａへ給電信号を供給することにより、地上波デジタル放送を良好な感度で受信して、その受信画像を電子機器１の画像表示部２に表示させることができる。
【００１９】
このように本実施形態例にあっては、アンテナ素子１０を内蔵したロッド部材９を保持するアーム部材８が、チューナ装置４の筐体４ａに折り畳み可能かつ上方へ突出可能に取り付けられているため、非使用時にはアンテナ装置５をコンパクトに収納しておくことができる。また、地上波デジタル放送を受信する際には、アンテナ装置５を筐体４ａ上に起立させることによって、アンテナ素子１０を電子機器１から大きく離隔させた位置に配置させることができる。つまり、アンテナ装置５は折り畳んだ状態でもチューナ装置４の高さ分だけ電子機器１から離隔した位置にあり、このアンテナ装置５を起立させて給電点１０ａをさらにアーム部材８の長さ分だけ上方に位置させた状態で使用できるので、アンテナ素子１０をノイズ源である電子機器（携帯端末機器）１から大きく離隔させることができる。したがって、画像表示部２を有する電子機器１から輻射される電磁波や該電子機器１を構成する金属部品がアンテナ装置５に悪影響を及ぼす可能性が極めて低くなって、地上波デジタル放送が良好な感度で受信できるようになる。しかも、チューナ装置４とアンテナ装置５をユニット化してなるテレビジョン受信装置は電子機器１に簡単にコネクタ接続できるので、電子機器１に対する装着作業や不要時の離脱作業が煩雑化することもない。
【００２０】
図３は本発明の第２実施形態例に係るアンテナ装置が装着された電子機器の正面図、図４は図３に示すアンテナ装置を起立させた状態での要部拡大図であり、図１，２と対応する部分には同一符号を付すことによって重複する説明は省略する。
【００２１】
この第２実施形態例に係るアンテナ装置２０は、アーム部材８とロッド部材９の連結構造が前述した第１実施形態例と大きく異なっている。すなわち、図３，４において、アンテナ素子１０を内蔵しているロッド部材９は、アーム部材８に挿入可能かつ外方へ突出可能に保持されており、このロッド部材９のアーム部材８からの突出量が略最大のときに給電点１０ａが同軸ケーブル１１と接続されるようになっている。
【００２２】
かかるアンテナ装置２０は、図３の実線で示すように、非使用時にはロッド部材９をアーム部材８の内部空間に挿入し、かつ両者８，９を横臥姿勢とすることによって、チューナ装置４の筐体４ａにコンパクトに収納することができる。また、地上波デジタル放送を受信する際には、図４に示すように、筐体４ａの上端隅部に軸支されているアーム部材８を起立させてロッド部材９を該アーム部材８から上方へ突出させることにより、アンテナ素子１０をノイズ源である電子機器１から大きく離隔させて良好な受信感度を得ることができる。
【００２３】
図５は本発明の第３実施形態例に係るアンテナ装置が装着された電子機器の正面図、図６は図５に示すアンテナ装置を起立させた状態での要部拡大図であり、図１〜図４と対応する部分には同一符号を付すことによって重複する説明は省略する。
【００２４】
この第３実施形態例に係るアンテナ装置２１は、アンテナ素子１０がアーム部材８の先端膨出部８ａに内蔵されたチップアンテナでありロッド部材は用いられておらず、このアンテナ素子１０の共振周波数が制御可能であるという点が、前述した第１および第２実施形態例と大きく異なっている。すなわち、図５，６において、アンテナ素子１０は、誘電体または磁性体からなる柱状の基体１５の表面に螺旋状の放射導体１６を設け、この放射導体１６の適宜分断箇所に図示せぬ可変容量素子（バラクタダイオード）を直列に接続して構成されるというチューナブルなチップアンテナである。そして、テレビジョン受信チューナ６からアンテナ素子１０に対してバイアス制御信号（直流の同調電圧）を供給するためのバイアスケ−ブル１７がアーム部材８の内部空間に挿通させてあり、アンテナ素子１０の共振周波数はこのバイアス制御信号に応じて変化するようになっている。
【００２５】
かかるアンテナ装置２１は、図５の実線で示すように、非使用時にはアーム部材８を横臥姿勢に折り畳んでチューナ装置４の筐体４ａにコンパクトに収納することができる。また、地上波デジタル放送を受信する際には、筐体４ａの上端隅部に軸支されているアーム部材８を図６に示すように上方へ起立させることにより、アンテナ素子１０をノイズ源である電子機器１から大きく離隔させて良好な受信感度を得ることができる。このようにアンテナ素子１０を小型化してアーム部材８に内蔵させれば、前記ロッド部材が不要となるため、アンテナ装置全体の構造を単純化できて低背化も図れる。
【図面の簡単な説明】
【００２６】
【図１】本発明の第１実施形態例に係るアンテナ装置が装着された電子機器の正面図である。
【図２】図１に示すアンテナ装置を起立させた状態での要部拡大図である。
【図３】本発明の第２実施形態例に係るアンテナ装置が装着された電子機器の正面図である。
【図４】図３に示すアンテナ装置を起立させた状態での要部拡大図である。
【図５】本発明の第３実施形態例に係るアンテナ装置が装着された電子機器の正面図である。
【図６】図５に示すアンテナ装置を起立させた状態での要部拡大図である。
【符号の説明】
【００２７】
１  電子機器
２  画像表示部
４  チューナ装置
４ａ  筐体
５，２０，２１  アンテナ装置
６  テレビジョン受信チューナ
７  コネクタ
８  アーム部材
９  ロッド部材
１０  アンテナ素子
１０ａ  給電点
１１  同軸ケーブル
１２  筒状体
１３  モノポールアンテナ
１４  ヘリカルアンテナ
１５  基体
１６  放射導体
１７  バイアスケ−ブル
【図１】
2008085478.tif 000003
【図２】
2008085478.tif 000004
【図３】
2008085478.tif 000005
【図４】
2008085478.tif 000006
【図５】
2008085478.tif 000007
【図６】
2008085478.tif 000008